(57)【要約】【課題】破損の際にリペアが容易な構造を有する組立体を提供すること。【解決手段】組立体１００は、コンタクト５００を保持するためのハウジング２００と、コンタクト５００に接続されるケーブル６００の一部を覆い且つケーブル６００の向きを揃えるためのカバー３００とを備えている。ハウジング２００は、維持部２１０を有している。カバー３００は、上下方向においてハウジング２００の上方に取り付けられている。カバー３００は、被維持部３１０と、縁部３２０と、破損可能部３５０とを有している。縁部３２０は、ケーブル６００の引き出し口を構成している。維持部２１０は、上下方向において被維持部３１０の上方に位置し、カバー３００がハウジング２００に取り付けられた状態を維持している。破損可能部３５０は、維持部２１０の一部を支点とするモーメントが縁部３２０の一部に付与された場合に、維持部２１０よりも破損しやすく構成されている。【選択図】図３
2018198129.tif 000002
【特許請求の範囲】
【請求項１】
コンタクトを保持するためのハウジングと、前記コンタクトに接続されるケーブルの一部を覆い且つ前記ケーブルの向きを揃えるためのカバーとを備える組立体であって、
前記ハウジングは、維持部を有しており、
前記カバーは、上下方向において前記ハウジングの上方に取り付けられており、
前記カバーは、被維持部と、縁部と、破損可能部とを有しており、
前記縁部は、前記ケーブルの引き出し口を構成しており、
前記維持部は、前記上下方向において前記被維持部の上方に位置し、前記カバーが前記ハウジングに取り付けられた状態を維持しており、
前記破損可能部は、前記維持部の一部を支点とするモーメントが前記縁部の一部に付与された場合に、前記維持部よりも破損しやすく構成されている
組立体。
【請求項２】
請求項１記載の組立体であって、
前記破損可能部の肉厚のサイズは、前記破損可能部の周囲の部分の肉厚のサイズよりも小さい
組立体。
【請求項３】
請求項１又は請求項２記載の組立体であって、
前記破損可能部の肉厚のサイズは、前記維持部の前記上下方向におけるサイズよりも小さい
組立体。
【請求項４】
請求項３記載の組立体であって、
前記縁部は、前記上下方向と直交する前後方向に開いており、
前記破損可能部は、前記上下方向及び前記前後方向の双方と直交する横方向において、前記維持部の前記上下方向における前記サイズよりも小さいサイズの肉厚を有している
組立体。
【請求項５】
請求項２から請求項４までのいずれかに記載の組立体であって、
前記被維持部は、前記上下方向と直交する前後方向に延びるガイドレールであり、
前記維持部は、前記ガイドレールの前記前後方向への移動をガイドするガイド部であり、
前記破損可能部は、前記上下方向において前記ガイドレールよりも上方に位置している
組立体。
【請求項６】
請求項５記載の組立体であって、
前記ハウジングには、規制部が設けられており、
前記規制部は、前記上下方向及び前記前後方向の双方と直交する横方向において前記ガイドレールの外側に位置し、前記ガイドレールの外側への移動を規制しており、
前記破損可能部の前記肉厚のサイズは、前記規制部の前記横方向におけるサイズよりも小さい
組立体。
【請求項７】
請求項１記載の組立体であって、
前記破損可能部は、前記カバーを貫通する孔またはスリットである
組立体。
【請求項８】
請求項１から請求項７までのいずれかに記載の組立体であって、
前記破損可能部は、前記縁部まで達している
組立体。
【請求項９】
請求項１から請求項８までのいずれかに記載の組立体であって、
前記破損可能部は、前記上下方向と直交する前後方向に延びている
組立体。
【請求項１０】
請求項１から請求項９までのいずれかに記載の組立体と、コンタクトと、ケーブルとを備えるハーネス部品であって、
前記コンタクトは、前記ハウジングに保持されており、
前記ケーブルは、前記コンタクトに接続されている
ハーネス部品。
【請求項１１】
相手側コネクタと上下方向に沿って嵌合及び抜去可能なコネクタであって、
前記コネクタは、電線に接続された端子が装着されたコネクタ本体と、
前記コネクタ本体の上部に取り付けられ、前記電線の少なくとも一部を蓋うカバーとを備えており、
前記コネクタ本体と前記カバーにおける、カバーに所定荷重を超える荷重が作用した場合に破損する最弱部を、前記カバーに形成した
コネクタ。
【発明の詳細な説明】
【技術分野】
【０００１】
本発明は、破損の際にリペアが容易な構造を有する組立体とそれを備えるハーネス部品に関する。
【背景技術】
【０００２】
図２５を参照すると、特許文献１には、コンタクト（図示せず）を保持するためのコネクタ本体（ハウジング）８１０と、コンタクトに接続されるケーブル８２０の一部を覆い且つケーブル８２０の向きを揃えるためのカバー８３０と、スライダ８４０とを有する組立体８００が開示されている。スライダ８４０は、前後方向（Ｘ方向）に移動可能となるようにハウジング８１０に取り付けられている。スライダ８４０が前後方向に移動すると、相手側コネクタ（図示せず）との嵌合又は嵌合解除が行われる。カバー８３０は、上下方向（Ｚ方向）においてコネクタ本体８１０の上方（＋Ｚ側）に位置しており、前後方向（Ｘ方向）にスライドすることによりコネクタ本体８１０に取り付けられている。
【０００３】
また図２６を参照すると、特許文献２には、コンタクト（図示せず）を保持するためのハウジング９１０と、コンタクトに接続されるケーブル９２０の一部を覆い且つケーブル９２０の向きを揃えるためのワイヤカバー（カバー）９３０と、レバー９４０と、スライダ（図示せず）とを有する組立体９００が開示されている。ワイヤカバー９３０は、上下方向（Ｚ方向）においてハウジング９１０の上方（＋Ｚ側）に取り付けられている。レバー９４０は回転可能となるようにワイヤカバー９３０に取り付けられている。スライダは、レバー９４０の回転動作と連動して前後方向（Ｘ方向）に移動するように構成されている。より具体的には、レバー９４０の回転動作を行うとスライダが前後方向（Ｘ方向）に移動し、相手側コネクタ（図示せず）との嵌合又は嵌合解除が行われる。
【先行技術文献】
【特許文献】
【０００４】
【特許文献１】特開２００２−２８０１１０号公報
【特許文献２】特開２０１５−１１５２５５号公報
【発明の概要】
【発明が解決しようとする課題】
【０００５】
本発明は、破損の際にリペアが容易な構造を有する組立体を提供することを目的とする。また、本発明は、その組立体と、コンタクトと、ケーブルとを備えたハーネス部品を提供することを目的とする。
【課題を解決するための手段】
【０００６】
特許文献１，２の組立体８００，９００を実際に取扱う場合、組立体が破損しやすい状況としては、ケーブルが煽られてカバーに過度な負荷が加わるような状況が考えられる。このような状況において組立体のハウジングが破損した場合、組立体の交換が必要となったり、最悪の場合においてはハーネス部品自体を破棄することとなる。一方、上述の状況において組立体のカバーが破損した場合、カバーのみの交換で組立体のリペアが完了する。即ち、本発明の発明者らは、上述の状況において組立体の一部が破損した場合、ハウジングが破損するよりカバーが破損する方が、組立体のリペアが容易であることを見出した。
【０００７】
本発明は、かかる知見に基づくものであり、具体的には上述した課題を解決するための手段として以下に掲げる組立体及びハーネス部品を提供する。
【０００８】
即ち、本発明は、第１の組立体として、
コンタクトを保持するためのハウジングと、前記コンタクトに接続されるケーブルの一部を覆い且つ前記ケーブルの向きを揃えるためのカバーとを備える組立体であって、
前記ハウジングは、維持部を有しており、
前記カバーは、上下方向において前記ハウジングの上方に取り付けられており、
前記カバーは、被維持部と、縁部と、破損可能部とを有しており、
前記縁部は、前記ケーブルの引き出し口を構成しており、
前記維持部は、前記上下方向において前記被維持部の上方に位置し、前記カバーが前記ハウジングに取り付けられた状態を維持しており、
前記破損可能部は、前記維持部の一部を支点とするモーメントが前記縁部の一部に付与された場合に、前記維持部よりも破損しやすく構成されている
組立体を提供する。
【０００９】
また、本発明は、第２の組立体として、第１の組立体であって、
前記破損可能部の肉厚のサイズは、前記破損可能部の周囲の部分の肉厚のサイズよりも小さい
組立体を提供する。
【００１０】
また、本発明は、第３の組立体として、第１又は第２の組立体であって、
前記破損可能部の肉厚のサイズは、前記維持部の前記上下方向におけるサイズよりも小さい
組立体を提供する。
【００１１】
また、本発明は、第４の組立体として、第３の組立体であって、
前記縁部は、前記上下方向と直交する前後方向に開いており、
前記破損可能部は、前記上下方向及び前記前後方向の双方と直交する横方向において、前記維持部の前記上下方向における前記サイズよりも小さいサイズの肉厚を有している
組立体を提供する。
【００１２】
また、本発明は、第５の組立体として、第２から第４までのいずれかの組立体であって、
前記被維持部は、前記上下方向と直交する前後方向に延びるガイドレールであり、
前記維持部は、前記ガイドレールの前記前後方向への移動をガイドするガイド部であり、
前記破損可能部は、前記上下方向において前記ガイドレールよりも上方に位置している
組立体を提供する。
【００１３】
また、本発明は、第６の組立体として、第５の組立体であって、
前記ハウジングには、規制部が設けられており、
前記規制部は、前記上下方向及び前記前後方向の双方と直交する横方向において前記ガイドレールの外側に位置し、前記ガイドレールの外側への移動を規制しており、
前記破損可能部の前記肉厚のサイズは、前記規制部の前記横方向におけるサイズよりも小さい
組立体を提供する。
【００１４】
また、本発明は、第７の組立体として、第１の組立体であって、
前記破損可能部は、前記カバーを貫通する孔またはスリットである
組立体を提供する。
【００１５】
また、本発明は、第８の組立体として、第１から第７までのいずれかの組立体であって、
前記破損可能部は、前記縁部まで達している
組立体を提供する。
【００１６】
また、本発明は、第９の組立体として、第１から第８までのいずれかの組立体であって、
前記破損可能部は、前記上下方向と直交する前後方向に延びている
組立体を提供する。
【００１７】
また、本発明は、第１のハーネス部品として、第１から第９までのいずれかの組立体と、コンタクトと、ケーブルとを備えるハーネス部品であって、
前記コンタクトは、前記ハウジングに保持されており、
前記ケーブルは、前記コンタクトに接続されている
ハーネス部品を提供する。
【００１８】
また、本発明は、第１のコネクタとして、
相手側コネクタと上下方向に沿って嵌合及び抜去可能なコネクタであって、
前記コネクタは、電線に接続された端子が装着されたコネクタ本体と、
前記コネクタ本体の上部に取り付けられ、前記電線の少なくとも一部を蓋うカバーとを備えており、
前記コネクタ本体と前記カバーにおける、カバーに所定荷重を超える荷重が作用した場合に破損する最弱部を、前記カバーに形成した
コネクタを提供する。
【発明の効果】
【００１９】
本発明の組立体のカバーには、ハウジングの維持部の一部を支点とするモーメントがカバーの縁部の一部に付与された場合において維持部よりも破損しやすく構成されている破損可能部が設けられている。これにより、ケーブルが煽られてカバーに過度な負荷が加わっても、ハウジングが破損する前にカバーの破損可能部が破損することとなる。従って、組立体が破損しても、カバーのみを新品に交換することにより、組立体を容易にリペアすることができる。
【図面の簡単な説明】
【００２０】
【図１】本発明の第１の実施の形態による組立体と、コンタクトと、ケーブルとを備えるハーネス部品を示す斜視図である。
【図２】図１のハーネス部品を示す側面図である。
【図３】図１のハーネス部品を示す背面図である。図においては、ハーネス部品の一部を拡大して示している。
【図４】図１のハーネス部品の組立体に含まれるハウジングを示す斜視図である。
【図５】図４のハウジングを示す別の斜視図である。
【図６】図４のハウジングを示す側面図である。
【図７】図４のハウジングを示す底面図である。
【図８】図４のハウジングを示す背面図である。図においては、ハウジングの一部を拡大して示している。
【図９】図４のハウジングを示す上面図である。
【図１０】図１のハーネス部品の組立体に含まれるカバーを示す側面図である。
【図１１】図１０のカバーを示す底面図である。
【図１２】図１０のカバーを示す背面図である。図においては、カバーの一部を拡大して示している。
【図１３】図１０のカバーを示す下方斜視図である。
【図１４】本発明の第２の実施の形態による組立体と、コンタクトと、ケーブルとを備えるハーネス部品を示す斜視図である。
【図１５】図１４のハーネス部品を示す側面図である。
【図１６】図１４のハーネス部品を示す背面図である。図においては、ハーネス部品の一部を拡大して示している。
【図１７】図１４のハーネス部品の組立体に含まれるカバーを示す側面図である。
【図１８】図１７のカバーを示す底面図である。
【図１９】図１７のカバーを示す背面図である。
【図２０】図１７のカバーを示す下方斜視図である。
【図２１】図１７のカバーの変形例を示す側面図である。
【図２２】図２１のカバーを示す底面図である。
【図２３】図２１のカバーを示す背面図である。
【図２４】図２１のカバーを示す下方斜視図である。
【図２５】特許文献１の組立体を示す斜視図である。
【図２６】特許文献２の組立体を示す斜視図である。
【発明を実施するための形態】
【００２１】
（第１の実施形態）
図１から図３までを参照すると、本発明の第１の実施の形態によるハーネス部品１０は、相手側コネクタ（図示せず）と上下方向に沿って嵌合及び抜去可能なものである。本実施の形態において、上下方向はＺ方向である。また、上方を＋Ｚ方向、下方を−Ｚ方向とする。
【００２２】
図１から図３及び図９に示されるように、本実施の形態のハーネス部品１０は、組立体１００と、複数のコンタクト５００と、複数のケーブル６００と、結束バンド６５０とを備えている。本明細書において、ハーネス部品１０はコネクタという。同様に、コンタクト５００は端子といい、ケーブル６００は電線という。
【００２３】
図１から図１３までに示されるように、本実施の形態の組立体１００は、コンタクト５００を保持するためのハウジング２００と、レバー４００と、２つのスライダ４５０と、コンタクト５００に接続されるケーブル６００の一部を覆い且つケーブル６００の向きを揃えるためのカバー３００とを備えている。ここで、コンタクト５００は、ハウジング２００に保持されており、ケーブル６００はコンタクト５００に夫々接続されている。また、カバー３００は、ハウジング２００の上部に取り付けられている。即ち、本実施の形態のコネクタは、電線に接続された端子が装着されたコネクタ本体と、コネクタ本体の上部に取り付けられ、電線の少なくとも一部を蓋うカバー３００とを備えている。
【００２４】
図４から図９までを参照すると、本実施の形態のハウジング２００は、絶縁体からなり、横方向と直交する平面であってハウジング２００の横方向における中央を通る平面に対して、対称な形状を有している。本実施の形態において、横方向はＹ方向である。ハウジング２００は、コンタクト保持部２６０と、介在部２８４と、コンタクト保持部包囲部２８２と、２つのスライダ収容部２８０とを有している。
【００２５】
図４から図９までに示されるように、本実施の形態のコンタクト保持部２６０は、上下方向に延びる概略直方体形状を有しており、上下方向と直交する平面において介在部２８４に概ね包囲されている。本実施の形態において、上下方向と直交する平面はＸＹ平面である。ここで、コンタクト保持部２６０の上端は、上下方向において介在部２８４の上端よりも上方に位置している。コンタクト保持部２６０には、複数のコンタクト保持孔２６１と、複数の相手側コンタクト受容部２６２とが形成されている。コンタクト保持孔２６１は、相手側コンタクト受容部２６２と夫々対応しており、上下方向において互いに連通している。即ち、コンタクト保持孔２６１と、対応する相手側コンタクト受容部２６２とで構成される孔は、上下方向においてコンタクト保持部２６０を貫通している。コンタクト保持部２６０の横方向における両端には、６つの上側ガイド部（維持部）２１０が設けられている。より詳しくは、コンタクト保持部２６０の上端（＋Ｚ側端）であって＋Ｙ側端に３つの上側ガイド部（維持部）２１０が設けられており、コンタクト保持部２６０の上端であって−Ｙ側端に３つの上側ガイド部（維持部）２１０が設けられている。上側ガイド部（維持部）２１０の夫々は、横方向外側に突出している。コンタクト保持部２６０の横方向の側部であって上側ガイド部（維持部）２１０の下方に位置する部分は、内側規制部２３０として機能する。
【００２６】
図４から図９までに示されるように、本実施の形態の介在部２８４は、上下方向と直交する平面においてコンタクト保持部包囲部２８２に包囲されている。介在部２８４の上部であって横方向両端近傍に位置する部分は、下側ガイド部２１２として機能する。
【００２７】
図４から図９までに示されるように、本実施の形態のコンタクト保持部包囲部２８２は、上下方向に延びる概略角筒形状を有しており、上下方向と直交する平面において介在部２８４を包囲している。コンタクト保持部包囲部２８２の横方向両端には、６つの外側規制部（規制部）２２０が設けられている。より詳しくは、コンタクト保持部包囲部２８２の上端であって＋Ｙ側端に３つの外側規制部２２０が設けられており、コンタクト保持部包囲部２８２の上端であって−Ｙ側端に３つの外側規制部２２０が設けられている。外側規制部２２０の夫々は、上下方向において上方に突出している。維持部２１０は、外側規制部２２０と夫々対応している。維持部２１０と、対応する外側規制部２２０とは、前後方向において同じ位置に位置している。本実施の形態において、前後方向はＸ方向である。ここで、前方を＋Ｘ方向、後方を−Ｘ方向とする。維持部２１０は、横方向において対応する外側規制部２２０から離れて位置している。即ち、維持部２１０の外面は、対応する外側規制部２２０の内面２２１に対して、離れて内側に位置している。前方に位置する２つの外側規制部２２０の前面は、被突当部２７０として夫々機能する。
【００２８】
即ち、図４から図９までを参照すると、本実施の形態のハウジング２００には、維持部２１０と、下側ガイド部２１２と、外側規制部２２０と、内側規制部２３０とが設けられている。ここで、維持部２１０の下面２１１と、下側ガイド部２１２の上面２１３と、外側規制部２２０の内面２２１と、内側規制部２３０の外面２３１とは、前後方向に延びる被維持部収容空間２４０を規定している。即ち、ハウジング２００には、２つの被維持部収容空間２４０が設けられている。
【００２９】
図４から図９までに示されるように、本実施の形態のスライダ収容部２８０は、横方向においてコンタクト保持部包囲部２８２の両外側に夫々位置している。スライダ収容部２８０は、上下方向と直交する平面においてスライダ４５０を夫々概略包囲している。
【００３０】
図４から図７まで及び図９に示されるように、図示されたレバー４００は、上下方向に沿って見た場合に概略Ｕ字形状を有しており、先端に歯車部４１０を有している。本実施の形態のレバー４００は、上下方向と直交する平面においてハウジング２００のコンタクト保持部包囲部２８２の外側に位置しており、横方向を軸として回転可能となるようにコンタクト保持部包囲部２８２に取り付けられている。
【００３１】
図９に示されるように、スライダ４５０の夫々は、上端にラック４５２を有しており、ハウジング２００の対応するスライダ収容部２８０に収容されている。図４及び図９を参照すると、スライダ４５０のラック４５２は、レバー４００の歯車部４１０と噛み合うように構成されている。上述のようにレバー４００は横方向を軸として回転可能となっているため、レバー４００を後方に倒すとスライダ４５０は前方に移動し、レバー４００を前方に倒すとスライダ４５０は後方に移動するようになっている。
【００３２】
図１から図３までに示されるように、本実施の形態のカバー３００は、上下方向においてハウジング２００の上方に取り付けられている。カバー３００のハウジング２００に対する具体的な取付方法については後述する。
【００３３】
図１０から図１３までを参照すると、本実施の形態のカバー３００は、絶縁体からなり、横方向と直交する平面であって、カバー３００の横方向における中央を通る平面に対して対称な形状を有している。具体的には、本実施の形態のカバー３００は、天井部３０４と、２つの側壁部３０２とを有している。
【００３４】
図１０から図１３までに示されるように、本実施の形態の天井部３０４は、後方から見た場合、幅広のＵ字形状を有している。天井部３０４の下端は、側壁部３０２の上端に接続されている。側壁部３０２の後端と天井部３０４の後端とは、縁部３２０を構成している。
【００３５】
図１０から図１３までに示されるように、本実施の形態の縁部３２０は、ケーブル６００の引き出し口３２０を構成している。引き出し口３２０は、上下方向と直交する前後方向に開いている。
【００３６】
図１０から図１３までに示されるように、本実施の形態の側壁部３０２は、横方向と直交する平面形状を有している。側壁部３０２の下端には、被維持部３１０と、突当部３６０とが設けられている。また、側壁部３０２の後端付近には、破損可能部３５０と、横方向外側に凹んでいる溝３５２とが設けられている。即ち、本実施の形態のカバー３００は、２つの被維持部３１０と、縁部３２０と、２つの破損可能部３５０と、２つの溝３５２と、２つの突当部３６０とを有している。被維持部３１０は、上下方向において破損可能部３５０の下方に位置している。本明細書において、破損可能部３５０は最弱部という。
【００３７】
図１０から図１３までに示されるように、本実施の形態の被維持部３１０は、上下方向と直交する前後方向に延びるガイドレール３１０である。一方、図４から図９までを参照すると、本実施の形態の上側ガイド部（維持部）２１０は、ガイドレール３１０の前後方向への移動をガイドするガイド部である。ここで、＋Ｙ側の被維持部３１０は、＋Ｙ側の３つの維持部２１０と対応しており、−Ｙ側の被維持部３１０は、−Ｙ側の３つの維持部２１０と対応している。
【００３８】
図１０から図１３までに示されるように、本実施の形態の被維持部３１０は、前後方向に延びる概略角棒形状を有している。被維持部３１０は、上下方向において上面３１２及び下面３１４を有している。上面３１２及び下面３１４の夫々は、上下方向と直交する平面である。上面３１２は、上下方向において下面３１４よりも上方に位置している。また、被維持部３１０は、横方向において外側面３１６及び内側面３１８を有している。外側面３１６及び内側面３１８の夫々は、横方向と直交する平面である。外側面３１６は、横方向において内側面３１８の外側に位置している。更に、被維持部３１０は、前後方向において後端３１１を有している。
【００３９】
図３を参照すると、ハウジング２００の維持部２１０の夫々は、上下方向においてカバー３００の被維持部３１０の夫々の上方に位置し、カバー３００がハウジング２００に取り付けられた状態を維持している。より具体的には、図３から図５、図８及び図１２を参照すると、＋Ｙ側の３つの維持部２１０の夫々の下面２１１は、上下方向において＋Ｙ側の被維持部３１０の上面３１２の上方に位置し且つ＋Ｙ側の被維持部３１０の上面３１２と対向しており、−Ｙ側の３つの維持部２１０の夫々の下面２１１は、上下方向において−Ｙ側の被維持部３１０の上面３１２の上方に位置し且つ−Ｙ側の被維持部３１０の上面３１２と対向している。
【００４０】
図３から図５、図８及び図１２を参照すると、＋Ｙ側の下側ガイド部２１２の上面２１３は、上下方向において＋Ｙ側の被維持部３１０の下面３１４の下方に位置し且つ＋Ｙ側の被維持部３１０の下面３１４と対向しており、−Ｙ側の下側ガイド部２１２の上面２１３は、上下方向において−Ｙ側の被維持部３１０の下面３１４の下方に位置し且つ−Ｙ側の被維持部３１０の下面３１４と対向している。
【００４１】
図３から図５、図８及び図１２を参照すると、ハウジング２００の外側規制部２２０の夫々は、横方向においてガイドレール３１０の夫々の外側に位置し、ガイドレール３１０の外側への移動を規制している。より具体的には、図３から図５及び図１３を参照すると、＋Ｙ側の３つの外側規制部２２０の夫々の内面２２１は、横方向において＋Ｙ側の被維持部３１０の外側面３１６の外側に位置し且つ＋Ｙ側の被維持部３１０の外側面３１６と対向しており、−Ｙ側の３つの外側規制部２２０の夫々の内面２２１は、横方向において−Ｙ側の被維持部３１０の外側面３１６の外側に位置し且つ−Ｙ側の被維持部３１０の外側面３１６と対向している。
【００４２】
図３から図５、図８及び図１２を参照すると、＋Ｙ側の内側規制部２３０の外面２３１は、横方向において＋Ｙ側の被維持部３１０の内側面３１８の内側に位置し且つ＋Ｙ側の被維持部３１０の内側面３１８と対向しており、−Ｙ側の内側規制部２３０の外面２３１は、横方向において−Ｙ側の被維持部３１０の内側面３１８の内側に位置し且つ−Ｙ側の被維持部３１０の内側面３１８と対向している。
【００４３】
即ち、図３、図８及び図１２を参照すると、被維持部３１０は、ハウジング２００の被維持部収容空間２４０と夫々対応しており、被維持部３１０の夫々は、対応する被維持部収容空間２４０に収容されている。
【００４４】
図１０、図１１及び図１３までを参照すると、本実施の形態の突当部３６０は、前後方向において後方に向いた平面である。また、突当部３６０は、ハウジング２００の被突当部２７０と夫々対応しており、突当部３６０の夫々は、前後方向において対応する被突当部２７０に突き当たっている。
【００４５】
図１０、図１２及び図１３に示されるように、本実施の形態の破損可能部３５０は、上下方向においてガイドレール３１０よりも上方に位置している。破損可能部３５０は、上下方向と直交する前後方向に延びており、縁部３２０まで達している。破損可能部３５０の肉厚のサイズＤ１は、破損可能部３５０の周囲の部分の肉厚のサイズＤ２よりも小さくなっている。これにより、破損可能部３５０の肉厚のサイズＤ１を調整することにより、破損可能部３５０の破壊荷重を調整することが可能となっている。破損可能部３５０は、溝３５２の横方向外側に位置している。ここで、溝３５２は前後方向に延びており、縁部３２０まで達している。即ち、溝３５２は、後方に開口しているが、前方には開口していない。
【００４６】
図８及び図１２を参照すると、本実施の形態のハーネス部品１０において、破損可能部３５０の肉厚のサイズＤ１は、ハウジング２００の維持部２１０の上下方向におけるサイズＳ１よりも小さい。より具体的には、破損可能部３５０は、横方向において、ハウジング２００の維持部２１０の上下方向におけるサイズＳ１よりも小さいサイズの肉厚Ｄ１を有している。加えて、破損可能部３５０の肉厚のサイズＤ１は、ハウジング２００の外側規制部２２０の横方向におけるサイズＳ２よりも小さい。
【００４７】
図３を参照すると、本実施の形態の破損可能部３５０は、ハウジング２００の維持部２１０の一部を支点とするモーメントがカバー３００の縁部３２０の一部に付与された場合に、ハウジング２００の維持部２１０よりも破損しやすく構成されている。換言すると、本実施の形態のコネクタ（ハーネス部品１０）は、コネクタ本体とカバー３００における、カバー３００に所定荷重を超える荷重が作用した場合に破損する最弱部（破損可能部３５０）を、カバー３００に形成したものである。
【００４８】
図１０、図１２及び図１３から理解されるように、本実施の形態のカバー３００の破損可能部３５０は、横方向においてカバー３００の側壁部３０２を貫通していない。これにより、ハーネス部品１０を実装した場合、ハーネス部品１０の周辺にあるワイヤ等が破損可能部３５０に引っ掛かることがないため、ハーネス部品１０自体の取り扱いが容易となっている。
【００４９】
図９を参照すると、本実施の形態のコンタクト５００は、金属製であり、ハウジング２００のコンタクト保持部２６０のコンタクト保持孔２６１に挿入されることにより、ハウジング２００に保持されている。コンタクト５００の下端は、ハウジング２００の相手側コンタクト受容部２６２内に位置している。コンタクト５００の下端近傍の部位は、ハーネス部品１０と相手側コネクタとが嵌合した際に相手側コネクタの相手側コンタクト（図示せず）と接続されるものである。
【００５０】
図１及び図９を参照すると、本実施の形態のケーブル６００は、コンタクト５００に夫々接続されており、カバー３００の引き出し口３２０から後方に引き出されている。またケーブル６００は、引き出し口３２０の後方且つ近傍において結束バンド６５０でハウジング２００に固定されている。
【００５１】
カバー３００のハウジング２００への取付は、以下のように行われる。
【００５２】
図３、図４、図５、図８及び図１２を参照すると、カバー３００の突当部３６０の夫々が前後方向においてハウジング２００の対応する被突当部２７０と対向し、且つカバー３００の被維持部３１０とハウジング２００の対応する被維持部収容空間２４０とが前後方向と平行な同一直線上に位置するように、カバー３００をハウジング２００に対して位置合わせを行う。このとき、被維持部３１０の外側面３１６は、横方向において外側規制部２２０の内面２２１の内側に位置しており、被維持部３１０の内側面３１８は、横方向において内側規制部２３０の外面２３１の外側に位置している。また、このとき、被維持部３１０の上面３１２は、上下方向において維持部２１０の下面２１１の下方に位置しており、被維持部３１０の下面３１４は、上下方向において下側ガイド部２１２の上面２１３の上方に位置している。この状態で、カバー３００をハウジング２００に対して前後方向に沿って後方に移動させると、カバー３００の被維持部３１０はハウジング２００の対応する被維持部収容空間２４０に収容され、カバー３００の突当部３６０はハウジング２００の対応する被突当部２７０と前後方向において突き当たる。これにより、カバー３００はハウジング２００に対して取り付けられる。
【００５３】
ハーネス部品１０において、ケーブル６００が煽られた際に組立体１００の各部位が受ける力及びその力に対する応答について詳述する。
【００５４】
図１から図３までを参照して、ハーネス部品１０のケーブル６００が上下方向において上方に煽られた場合、カバー３００の縁部（引き出し口）３２０の一部に対して、ハウジング２００の維持部２１０の一部を支点とするモーメントが付与される。
【００５５】
このとき、カバー３００の破損可能部３５０及び被維持部３１０には概略上方に向かう力が働くが、被維持部３１０の上方への移動がハウジング２００の対応する３つの維持部２１０によって妨げられる。この結果として、対応する３つの維持部２１０には概略上方に向かう力が働き、また破損可能部３５０には概略上下方向に引き延ばす力が働くこととなる。
【００５６】
ここで、ケーブル６００の上方への煽りが大きくなってカバー３００の縁部３２０に付与されるモーメントが増大すると、維持部２１０に働く力と破損可能部３５０に働く力の双方が増大するが、上述のように破損可能部３５０が維持部２１０よりも破損しやすく構成されていることから、ハウジング２００の維持部２１０が破損する前にカバー３００の破損可能部３５０が破損することとなる。より詳しくは、ケーブル６００の上方への煽りが大きくなってカバー３００の縁部３２０に付与されるモーメントが増大すると、ハウジング２００の維持部２１０が破損する前にカバー３００の溝３５２が引き裂かれて破損可能部３５０に亀裂が生じる。
【００５７】
従って、ケーブル６００が上方に煽られてカバー３００の破損可能部３５０が破損しても、ハウジング２００が破損することは避けられ、カバー３００のみの交換で組立体１００を簡便にリペアすることができる。
【００５８】
図１から図３までを参照して、ハーネス部品１０のケーブル６００がＹ方向に沿って煽られた場合においても、カバー３００の縁部（引き出し口）３２０の一部に対して、ハウジング２００の維持部２１０の一部を支点とするモーメントが付与される。
【００５９】
具体的には、図１から図３までを参照して、ハーネス部品１０のケーブル６００が＋Ｙ方向に沿って煽られた場合、カバー３００の縁部３２０の一部に対して、ハウジング２００の−Ｙ側の維持部２１０の一部を支点とするモーメントが付与される。
【００６０】
このとき、カバー３００の−Ｙ側の破損可能部３５０及び−Ｙ側の被維持部３１０には概略上方に向かう力が働くが、−Ｙ側の被維持部３１０の上方への移動はハウジング２００の−Ｙ側の３つの維持部２１０によって妨げられる。この結果として、−Ｙ側の３つの維持部２１０には概略上方に向かう力が働き、また−Ｙ側の破損可能部３５０には概略上下方向に引き延ばす力が働くこととなる。
【００６１】
ここで、ケーブル６００の＋Ｙ方向への煽りが大きくなってカバー３００の縁部３２０に付与されるモーメントが増大すると、−Ｙ側の維持部２１０に働く力と−Ｙ側の破損可能部３５０に働く力の双方が増大するが、上述と同様に、ハウジング２００の−Ｙ側の維持部２１０が破損する前にカバー３００の−Ｙ側の破損可能部３５０が破損することとなる。
【００６２】
また、図１から図３までを参照して、ハーネス部品１０のケーブル６００が−Ｙ方向に沿って煽られた場合においても、カバー３００の縁部３２０の一部に対して、ハウジング２００の＋Ｙ側の維持部２１０の一部を支点とするモーメントが付与される。
【００６３】
このとき、カバー３００の＋Ｙ側の破損可能部３５０及び＋Ｙ側の被維持部３１０には概略上方に向かう力が働くが、＋Ｙ側の被維持部３１０の上方への移動はハウジング２００の＋Ｙ側の３つの維持部２１０によって妨げられる。この結果として、＋Ｙ側の３つの維持部２１０には概略上方に向かう力が働き、また＋Ｙ側の破損可能部３５０には概略上下方向に引き延ばす力が働くこととなる。
【００６４】
ここで、ケーブル６００の−Ｙ方向への煽りが大きくなってカバー３００の縁部３２０に付与されるモーメントが増大すると、＋Ｙ側の維持部２１０に働く力と＋Ｙ側の破損可能部３５０に働く力の双方が増大するが、上述と同様に、ハウジング２００の＋Ｙ側の維持部２１０が破損する前にカバー３００の＋Ｙ側の破損可能部３５０が破損することとなる。
【００６５】
これらのことから、ケーブル６００がＹ方向に沿って煽られてカバー３００の破損可能部３５０が破損しても、ハウジング２００が破損することは避けられるため、カバー３００のみの交換で組立体１００を簡便にリペアすることができる。
【００６６】
なお、前述のように、本実施の形態のカバー３００の破損可能部３５０の肉厚のサイズＤ１は、破損可能部３５０の周囲の部分の肉厚のサイズＤ２よりも小さくなっていることから、ハーネス部品１０のユーザーは、カバー３００の全体的な破損に至る前に破損可能部３５０の破損に気付くことが出来るため、カバー３００の全体的な破損を未然に防ぐことができる。
【００６７】
本実施の形態のハーネス部品１０と、相手側コネクタとの嵌合及び解除は、以下のように行われる。
【００６８】
ハーネス部品１０の組立体１００のコンタクト保持部２６０が相手側コネクタの相手側嵌合口（図示せず）に収容されるように組立体１００と相手側コネクタとを位置合わせしたうえで、組立体１００のレバー４００を前方に倒して図１及び図２に示される位置に移動させると、スライダ４５０が後方に移動して相手側コネクタとの嵌合が行われる。また、組立体１００のレバー４００を図１及び図２までに示される位置から後方に倒すと、スライダ４５０が前方に移動して相手側コネクタとの嵌合が解除される。
【００６９】
（第２の実施形態）
図１４から図１６までを参照すると、本発明の第２の実施の形態によるハーネス部品１０Ａは、相手側コネクタ（図示せず）と上下方向に沿って嵌合及び抜去可能なものである。ここで、本実施の形態における方位及び方向は、第１の実施の形態のものと同じ表現を以下において使用する。
【００７０】
図９及び図１４から図２０までを参照すると、本実施の形態のハーネス部品１０Ａは、組立体１００Ａと、複数のコンタクト５００と、複数のケーブル６００とを備えている。本明細書において、ハーネス部品１０Ａはコネクタという。このうち、組立体１００Ａ以外の構成については第１の実施の形態と同様である。よって、第１の実施の形態と同様の構成については同様の参照符号を用い、詳細な説明は省略する。
【００７１】
図９及び図１４から図２０までに示されるように、本実施の形態の組立体１００Ａは、コンタクト５００を保持するためのハウジング２００と、レバー４００と、２つのスライダ４５０と、コンタクト５００に接続されるケーブル６００の一部を覆い且つケーブル６００の向きを揃えるためのカバー３００Ａとを備えている。ここで、コンタクト５００は、ハウジング２００に保持されており、ケーブル６００はコンタクト５００に夫々に接続されている。また、カバー３００Ａは、ハウジング２００の上部に取り付けられている。即ち、本実施の形態のコネクタは、電線に接続された端子が装着されたコネクタ本体と、コネクタ本体の上部に取り付けられ、電線の少なくとも一部を蓋うカバー３００Ａとを備えている。ここで、カバー３００Ａ以外の構成については第１の実施の形態と同様である。よって、第１の実施の形態と同様の構成については同様の参照符号を用い、詳細な説明は省略する。
【００７２】
図１７から図２０までに示されるように、本実施の形態のカバー３００Ａは、上下方向においてハウジング２００の上方に取り付けられている。カバー３００Ａのハウジング２００に対する具体的な取付方法については、第１の実施の形態と同様であるので、詳細は省略する。
【００７３】
図１７から図２０までを参照すると、本実施の形態のカバー３００Ａは、絶縁体からなり、横方向と直交する平面であって、カバー３００Ａの横方向における中央を通る平面に対して対称な形状を有している。具体的には、本実施の形態のカバー３００Ａは、天井部３０４と、２つの側壁部３０２Ａとを有している。
【００７４】
図１７から図２０までに示されるように、本実施の形態の天井部３０４は、後方から見た場合、幅広のＵ字形状を有している。天井部３０４の下端は、側壁部３０２Ａの上端に接続されている。側壁部３０２Ａの後端と天井部３０４の後端とは、縁部３２０を構成している。
【００７５】
図１７から図２０までに示されるように、本実施の形態の側壁部３０２Ａは、横方向と直交する平面形状を有している。側壁部３０２Ａの下端には、被維持部３１０と、突当部３６０とが設けられている。また、側壁部３０２Ａの後端付近には、破損可能部３５０Ａが設けられている。被維持部３１０は、上下方向において破損可能部３５０Ａの下方に位置している。本明細書において、破損可能部３５０Ａは最弱部という。
【００７６】
即ち、本実施の形態のカバー３００Ａは、２つの被維持部３１０と、縁部３２０と、２つの破損可能部３５０Ａと、２つの突当部３６０とを有している。本実施の形態の被維持部３１０と、縁部３２０と、突当部３６０とは、第１の実施の形態のものと同様であるので、詳細な説明は省略する。
【００７７】
図１７、図１９及び図２０に示されるように、本実施の形態の破損可能部３５０Ａは、上下方向においてガイドレール３１０よりも上方に位置している。破損可能部３５０Ａは、上下方向と直交する前後方向に延びており、縁部３２０まで達している。本実施の形態の破損可能部３５０Ａは、カバー３００Ａを貫通する孔またはスリットである。より具体的には、本実施の形態の破損可能部３５０Ａは、横方向において側壁部３０２Ａを貫通している。また、本実施の形態の破損可能部３５０Ａは、前後方向において後方に開いている。より詳しくは、本実施の形態の破損可能部３５０Ａは、上縁３５４と、下縁３５６と、上縁３５４の前端と下縁３５６の前端とを連結する前縁３５８とで構成されるスリットである。
【００７８】
図１６を参照すると、本実施の形態の破損可能部３５０Ａは、ハウジング２００の維持部２１０の一部を支点とするモーメントがカバー３００Ａの縁部３２０の一部に付与された場合に、ハウジング２００の維持部２１０よりも破損しやすく構成されている。換言すると、本実施の形態のコネクタ（ハーネス部品１０Ａ）は、コネクタ本体とカバー３００Ａにおける、カバー３００Ａに所定荷重を超える荷重が作用した場合に破損する最弱部（破損可能部３５０Ａ）を、カバー３００Ａに形成したものである。
【００７９】
ハーネス部品１０Ａにおいて、ケーブル６００が煽られた際に組立体１００Ａの各部位が受ける力及びその力に対する応答について詳述する。
【００８０】
図１４から図１６までを参照して、ハーネス部品１０Ａのケーブル６００が上下方向において上方に煽られた場合、カバー３００Ａの縁部（引き出し口）３２０の一部に対して、ハウジング２００の維持部２１０の一部を支点とするモーメントが付与される。
【００８１】
このとき、カバー３００Ａの破損可能部３５０Ａ及び被維持部３１０には概略上方に向かう力が働くが、被維持部３１０の上方への移動はハウジング２００の対応する３つの維持部２１０によって妨げられる。この結果として、対応する３つの維持部２１０には概略上方に向かう力が働き、また破損可能部３５０Ａには概略上下方向に引き延ばす力が働くこととなる。より詳しくは、このとき、破損可能部３５０Ａの上縁３５４には上方に向かう力が働き、下縁３５６には下方に向かう力が働き、前縁３５８には上下方向に引き延ばす力が働くこととなる。
【００８２】
ここで、ケーブル６００の上方への煽りが大きくなってカバー３００Ａの縁部３２０に付与されるモーメントが増大すると、維持部２１０に働く力と破損可能部３５０Ａに働く力の双方が増大するが、上述のように破損可能部３５０Ａが維持部２１０よりも破損しやすく構成されていることから、ハウジング２００の維持部２１０が破損する前にカバー３００Ａの破損可能部３５０Ａが破損することとなる。より詳しくは、ケーブル６００の上方への煽りが大きくなってカバー３００Ａの縁部３２０に付与されるモーメントが増大すると、ハウジング２００の維持部２１０が破損する前に、カバー３００Ａの破損可能部３５０Ａの前縁３５８が引き裂かれて亀裂が生じる。
【００８３】
従って、ケーブル６００が上方に煽られてカバー３００Ａの破損可能部３５０Ａが破損しても、ハウジング２００が破損することは避けられ、カバー３００Ａのみの交換で組立体１００Ａを簡便にリペアすることができる。
【００８４】
図１４から図１６までを参照して、ハーネス部品１０Ａのケーブル６００がＹ方向に沿って煽られた場合においても、カバー３００Ａの縁部３２０の一部に対して、ハウジング２００の維持部２１０の一部を支点とするモーメントが付与される。
【００８５】
具体的には、図１４から図１６までを参照して、ハーネス部品１０Ａのケーブル６００が＋Ｙ方向に沿って煽られた場合、カバー３００Ａの縁部３２０の一部に対して、ハウジング２００の−Ｙ側の維持部２１０の一部を支点とするモーメントが付与される。
【００８６】
このとき、カバー３００Ａの−Ｙ側の破損可能部３５０Ａ及び−Ｙ側の被維持部３１０には概略上方に向かう力が働くが、−Ｙ側の被維持部３１０の上方への移動はハウジング２００の−Ｙ側の３つの維持部２１０によって妨げられる。この結果として、−Ｙ側の３つの維持部２１０には概略上方に向かう力が働き、また−Ｙ側の破損可能部３５０Ａには概略上下方向に引き延ばす力が働くこととなる。
【００８７】
ここで、ケーブル６００の＋Ｙ方向への煽りが大きくなってカバー３００Ａの縁部３２０に付与されるモーメントが増大すると、−Ｙ側の維持部２１０に働く力と−Ｙ側の破損可能部３５０Ａに働く力の双方が増大するが、上述と同様に、ハウジング２００の−Ｙ側の維持部２１０が破損する前にカバー３００Ａの−Ｙ側の破損可能部３５０Ａが破損することとなる。
【００８８】
また、図１４から図１６までを参照して、ハーネス部品１０Ａのケーブル６００が−Ｙ方向に沿って煽られた場合においても、カバー３００Ａの縁部３２０の一部に対して、ハウジング２００の＋Ｙ側の維持部２１０の一部を支点とするモーメントが付与される。
【００８９】
このとき、カバー３００Ａの＋Ｙ側の破損可能部３５０Ａ及び＋Ｙ側の被維持部３１０には概略上方に向かう力が働くが、＋Ｙ側の被維持部３１０の上方への移動はハウジング２００の＋Ｙ側の３つの維持部２１０によって妨げられる。この結果として、＋Ｙ側の３つの維持部２１０には概略上方に向かう力が働き、また＋Ｙ側の破損可能部３５０Ａには概略上下方向に引き延ばす力が働くこととなる。
【００９０】
ここで、ケーブル６００の−Ｙ方向への煽りが大きくなってカバー３００Ａの縁部３２０に付与されるモーメントが増大すると、＋Ｙ側の維持部２１０に働く力と＋Ｙ側の破損可能部３５０Ａに働く力の双方が増大するが、上述と同様に、ハウジング２００の＋Ｙ側の維持部２１０が破損する前にカバー３００Ａの＋Ｙ側の破損可能部３５０Ａが破損することとなる。
【００９１】
これらのことから、ケーブル６００がＹ方向に沿って煽られてカバー３００Ａの破損可能部３５０Ａが破損しても、ハウジング２００が破損することは避けられるため、カバー３００Ａのみの交換で組立体１００Ａを簡便にリペアすることができる。
【００９２】
本実施の形態のハーネス部品１０Ａと、相手側コネクタとの嵌合及び解除は、第１の実施の形態と同様であり、詳細は省略する。
【００９３】
ハーネス部品１０，１０Ａのカバー３００，３００Ａの構成は、上述したものには限定されず、例えば、以下のような変形が可能である。
【００９４】
図２１から図２４を参照すると、本発明の変形例によるカバー３００Ｂは、絶縁体からなり、横方向と直交する平面であって、カバー３００Ｂの横方向における中央を通る平面に対して対称な形状を有している。具体的には、本実施の形態のカバー３００Ｂは、天井部３０４と、２つの側壁部３０２Ｂとを有している。
【００９５】
図２１から図２４までに示されるように、本実施の形態の天井部３０４は、後方から見た場合、幅広のＵ字形状を有している。天井部３０４の下端は、側壁部３０２Ｂの上端に接続されている。側壁部３０２Ｂの後端と天井部３０４の後端とは、縁部３２０を構成している。
【００９６】
図２１から図２４までに示されるように、本実施の形態の側壁部３０２Ｂは、横方向と直交する平面形状を有している。側壁部３０２Ｂの下端には、被維持部３１０と突当部３６０とが設けられている。また、側壁部３０２Ｂの夫々において、被維持部３１０の上方には２つの破損可能部３５０Ｂが設けられている。本明細書において、破損可能部３５０Ｂは最弱部という。
【００９７】
即ち、本実施の形態のカバー３００Ｂは、２つの被維持部３１０と、縁部３２０と、２つの破損可能部３５０Ｂと、２つの突当部３６０とを有している。本実施の形態の被維持部３１０と、縁部３２０と、突当部３６０とは、第１の実施の形態のものと同様であるので、詳細な説明は省略する。
【００９８】
図２１から図２４までに示されるように、本実施の形態の破損可能部３５０Ｂは、上下方向においてガイドレール３１０よりも上方に位置している。破損可能部３５０Ｂは、上下方向と直交する前後方向に延びている。破損可能部３５０Ｂの夫々は、側壁部３０２Ｂを上下方向に貫通する孔である。破損可能部３５０Ｂの夫々は、上下方向と交差する平面内において周縁３５３を有している。
【００９９】
図１６及び図２１から図２４までを参照すると、本実施の形態の破損可能部３５０Ｂは、ハウジング２００の維持部２１０の一部を支点とするモーメントがカバー３００Ｂの縁部３２０の一部に付与された場合に、ハウジング２００の維持部２１０よりも破損しやすく構成されている。換言すると、本実施の形態のコネクタ（ハーネス部品）は、コネクタ本体とカバー３００Ｂにおける、カバー３００Ｂに所定荷重を超える荷重が作用した場合に破損する最弱部（破損可能部３５０Ｂ）を、カバー３００Ｂに形成したものである。
【０１００】
カバー３００Ｂのハウジング２００に対する具体的な取付方法については、第１の実施の形態と同様であるので、詳細は省略する。
【０１０１】
カバー３００Ｂを有する組立体（図示せず）を含むハーネス部品（図示せず）において、ケーブル６００が煽られた際にハーネス部品の各部位が受ける力及びその力に対する応答について詳述する。
【０１０２】
図１６及び図２１から図２４までを参照して、ハーネス部品のケーブル６００が上下方向において上方に煽られた場合、カバー３００Ｂの縁部（引き出し口）３２０の一部に対して、ハウジング２００の維持部２１０の一部を支点とするモーメントが付与される。
【０１０３】
このとき、カバー３００Ｂの破損可能部３５０Ｂ及び被維持部３１０には概略上方に向かう力が働くが、被維持部３１０の上方への移動がハウジング２００の対応する３つの維持部２１０によって妨げられる。この結果として、対応する３つの維持部２１０には概略上方に向かう力が働き、また破損可能部３５０Ｂには概略上下方向に引き延ばす力が働くこととなる。
【０１０４】
ここで、ケーブル６００の上方への煽りが大きくなってカバー３００Ｂの縁部３２０に付与されるモーメントが増大すると、維持部２１０に働く力と破損可能部３５０Ｂに働く力の双方が増大するが、上述のように破損可能部３５０Ｂが維持部２１０よりも破損しやすく構成されていることから、ハウジング２００の維持部２１０が破損する前にカバー３００Ｂの破損可能部３５０Ｂが破損することとなる。より詳しくは、ケーブル６００の上方への煽りが大きくなってカバー３００Ｂの縁部３２０に付与されるモーメントが増大すると、ハウジング２００の維持部２１０が破損する前に、カバー３００Ｂの破損可能部３５０Ｂの周縁３５３が引き裂かれて亀裂が生じる。
【０１０５】
従って、ケーブル６００が上方に煽られてカバー３００Ｂの破損可能部３５０Ｂが破損しても、ハウジング２００が破損することは避けられ、カバー３００Ｂのみの交換で組立体を簡便にリペアすることができる。
【０１０６】
図１６及び図２１から図２４までを参照して、ハーネス部品のケーブル６００がＹ方向に沿って煽られた場合においても、カバー３００Ｂの縁部（引き出し口）３２０の一部に対して、ハウジング２００の維持部２１０の一部を支点とするモーメントが付与される。
【０１０７】
具体的には、図１６及び図２１から図２４までを参照して、ハーネス部品のケーブル６００が＋Ｙ方向に沿って煽られた場合、カバー３００Ｂの縁部３２０の一部に対して、ハウジング２００の−Ｙ側の維持部２１０の一部を支点とするモーメントが付与される。
【０１０８】
このとき、カバー３００Ｂの−Ｙ側の破損可能部３５０Ｂ及び−Ｙ側の被維持部３１０には概略上方に向かう力が働くが、−Ｙ側の被維持部３１０の上方への移動はハウジング２００の−Ｙ側の３つの維持部２１０によって妨げられる。この結果として、−Ｙ側の３つの維持部２１０には概略上方に向かう力が働き、また−Ｙ側の破損可能部３５０Ｂには概略上下方向に引き延ばす力が働くこととなる。
【０１０９】
ここで、ケーブル６００の＋Ｙ方向への煽りが大きくなってカバー３００Ｂの縁部３２０に付与されるモーメントが増大すると、−Ｙ側の維持部２１０に働く力と−Ｙ側の破損可能部３５０Ｂに働く力の双方が増大するが、上述と同様に、ハウジング２００の−Ｙ側の維持部２１０が破損する前にカバー３００Ｂの−Ｙ側の破損可能部３５０Ｂが破損することとなる。
【０１１０】
また、図１６及び図２１から図２４までを参照して、ハーネス部品のケーブル６００が−Ｙ方向に沿って煽られた場合においても、カバー３００Ｂの縁部３２０の一部に対して、ハウジング２００の＋Ｙ側の維持部２１０の一部を支点とするモーメントが付与される。このとき、カバー３００Ｂの＋Ｙ側の破損可能部３５０Ｂ及び＋Ｙ側の被維持部３１０には概略上方に向かう力が働くが、＋Ｙ側の被維持部３１０の上方への移動はハウジング２００の＋Ｙ側の３つの維持部２１０によって妨げられる。この結果として、＋Ｙ側の３つの維持部２１０には概略上方に向かう力が働き、また＋Ｙ側の破損可能部３５０Ｂには概略上下方向に引き延ばす力が働くこととなる。
【０１１１】
ここで、ケーブル６００の−Ｙ方向への煽りが大きくなってカバー３００Ｂの縁部３２０に付与されるモーメントが増大すると、＋Ｙ側の維持部２１０に働く力と＋Ｙ側の破損可能部３５０Ｂに働く力の双方が増大するが、上述と同様に、ハウジング２００の＋Ｙ側の維持部２１０が破損する前にカバー３００Ｂの＋Ｙ側の破損可能部３５０Ｂが破損することとなる。
【０１１２】
これらのことから、ケーブル６００がＹ方向に沿って煽られてカバー３００Ｂの破損可能部３５０Ｂが破損しても、ハウジング２００が破損することは避けられるため、カバー３００Ｂのみの交換で組立体を簡便にリペアすることができる。
【０１１３】
以上、本発明について、複数の実施の形態を掲げて具体的に説明してきたが、本発明はこれに限定されるわけではなく、種々の変形が可能である。
【０１１４】
例えば、本実施の形態において、組立体１００，１００Ａには相手側コネクタに対する嵌合補助手段としてレバー４００及びスライダ４５０が設けられていたが、本発明はこれに限定されない。即ち、組立体は、レバーやスライダを有さなくてもよく、またレバーやスライダ以外の嵌合補助手段を有していてもよい。
【符号の説明】
【０１１５】
１０，１０Ａ        ハーネス部品
１００，１００Ａ        組立体
２００              ハウジング
２１０              上側ガイド部（維持部）
２１１              下面
２１２              下側ガイド部
２１３              上面
２２０              外側規制部（規制部）
２２１              内面
２３０              内側規制部
２３１              外面
２４０              被維持部収容空間
２６０              コンタクト保持部
２６１              コンタクト保持孔
２６２              相手側コンタクト受容部
２７０              被突当部
２８０              スライダ収容部
２８２              コンタクト保持部包囲部
２８４              介在部
３００，３００Ａ，３００Ｂ        カバー
３０２，３０２Ａ，３０２Ｂ        側壁部
３０４              天井部
３１０              被維持部（ガイドレール）
３１１              後端
３１２              上面
３１４              下面
３１６              外側面
３１８              内側面
３２０              縁部（引き出し口）
３５０，３５０Ａ，３５０Ｂ        破損可能部（孔またはスリット）
３５２              溝
３５３              周縁
３５４              上縁
３５６              下縁
３５８              前縁
３６０              突当部
４００              レバー
４１０              歯車部
４５０              スライダ
４５２              ラック
５００              コンタクト
６００              ケーブル
６５０              結束バンド
Ｄ１                肉厚のサイズ
Ｄ２                           肉厚のサイズ
Ｓ１                サイズ
Ｓ２                サイズ
【図１】
2018198129.tif 000003
【図２】
2018198129.tif 000004
【図３】
2018198129.tif 000005
【図４】
2018198129.tif 000006
【図５】
2018198129.tif 000007
【図６】
2018198129.tif 000008
【図７】
2018198129.tif 000009
【図８】
2018198129.tif 000010
【図９】
2018198129.tif 000011
【図１０】
2018198129.tif 000012
【図１１】
2018198129.tif 000013
【図１２】
2018198129.tif 000014
【図１３】
2018198129.tif 000015
【図１４】
2018198129.tif 000016
【図１５】
2018198129.tif 000017
【図１６】
2018198129.tif 000018
【図１７】
2018198129.tif 000019
【図１８】
2018198129.tif 000020
【図１９】
2018198129.tif 000021
【図２０】
2018198129.tif 000022
【図２１】
2018198129.tif 000023
【図２２】
2018198129.tif 000024
【図２３】
2018198129.tif 000025
【図２４】
2018198129.tif 000026
【図２５】
2018198129.tif 000027
【図２６】
2018198129.tif 000028